(57)【要約】【課題】足首屈曲部甲側のたるみ（しわ）の低減と踵部の締め付けの低減とを両立することが可能なレッグウェアを提供する。【解決手段】本発明の一実施形態に係るレッグウェア１は、踵を覆う踵部を有するレッグウェアであって、甲裏平面形状に畳んだ状態での足裏側平面視において、踵部２０の外側ゴアライン２１の踵側端２１１と内側ゴアライン２２の踵側端２２１との間の中心に位置する踵部中心点ＰＨから外側外形線Ｘ１への垂線の長さＡは、踵部中心点ＰＨから内側外形線Ｘ２への垂線の長さＢよりも長い。【選択図】図３
2015010298.tif 000002
【特許請求の範囲】
【請求項１】
踵を覆う踵部を有するレッグウェアであって、
甲裏平面形状に畳んだ状態での足裏側平面視において、前記踵部の外側ゴアラインの踵側端と前記踵部の内側ゴアラインの踵側端との間の中心に位置する踵部中心点から外側外形線への垂線の長さＡは、前記踵部中心点から内側外形線への垂線の長さＢよりも長い、
レッグウェア。
【請求項２】
甲裏平面形状に畳んだ状態での足裏側平面視において、前記外側外形線から前記内側外形線までの幅Ｗを１００％としたときに、前記踵部中心点から前記外側外形線への垂線の長さＡが５５％〜６５％であり、前記踵部中心点から前記内側外形線への垂線の長さＢが４５％〜３５％である、
請求項１に記載のレッグウェア。
【請求項３】
前記踵部の外側ゴアラインの踵側端から外果側端までの長さは、前記踵部の内側ゴアラインの踵側端から内果側端までの長さに対して１．２１２倍〜１．３６８倍である、
請求項１又は２に記載のレッグウェア。
【請求項４】
前記踵部の外側ゴアラインの外果側端と前記踵部の内側ゴアラインの内果側端との間の裏側生地幅Ｗ１及び甲側生地幅Ｗ２がそれぞれ１００％である、請求項２又は３に記載のレッグウェア。
【請求項５】
爪先を覆う爪先部を更に有し、
甲裏平面形状に畳んだ状態での足裏側平面視において、前記爪先部の外側ゴアラインの爪先側端と前記爪先部の内側ゴアラインの爪先側端との間の中心に位置する爪先部中心点から前記外側外形線への垂線の長さＣは、前記爪先部中心点から前記内側外形線への垂線の長さＤよりも長い、
請求項１〜４の何れか１項に記載のレッグウェア。
【請求項６】
甲裏平面形状に畳んだ状態での足裏側平面視において、前記外側外形線から前記内側外形線までの幅Ｗを１００％としたときに、前記爪先部中心点から前記外側外形線への垂線の長さＣが５５％〜６５％であり、前記爪先部中心点から前記内側外形線への垂線の長さＤが４５％〜３５％である、
請求項５に記載のレッグウェア。
【請求項７】
前記爪先部の外側ゴアラインの爪先側端から外側端までの長さは、前記爪先部の内側ゴアラインの爪先側端から内側端までの長さに対して１．２１２倍〜１．３６８倍である、
請求項５又は６に記載のレッグウェア。
【請求項８】
前記踵部中心点から前記外側外形線への垂線の長さＡと、前記踵部中心点から前記内側外形線への垂線の長さＢとの違い、及び、前記爪先部中心点から前記外側外形線への垂線の長さＣと、前記爪先部中心点から前記内側外形線への垂線の長さＤとの違いに応じて、前記踵部と前記爪先部との間の長さを長くする、
請求項５〜７の何れか１項に記載のレッグウェア。
【発明の詳細な説明】
【技術分野】
【０００１】
本発明は、レッグウェアに関するものである。
【背景技術】
【０００２】
特許文献１〜３には、レッグウェアとして靴下が開示されている。特許文献１〜３に開示の靴下は、踵部のフィット性に着目し、着用者の踵の非対称形状を考慮して、踵部を非対称形状に編成するものである。
【０００３】
具体的には、特許文献１に開示の靴下は、踵骨が外踝側に片寄っていることに起因して、歩く際に生地が引っ張られて緊張し、履き心地が低下することを改善することを目的として、踵部の外側に偏ってまち部を編成している。なお、特許文献１には、履く足が予め決められた靴下では、歩く際に、踵部の力が加えられる側にまち部が位置するように、踵部の外踝側又は内踝側にまち部を偏って編成してもよい旨の記載がある。すなわち、特許文献１には、踵部の外側に偏ってまち部を編成した靴下と踵部の内側に偏ってまち部を編成した靴下との２つの発明が記載されており、何れか一方の靴下では着用者全てに対応できないものと推察される。
【０００４】
また、特許文献２に開示の靴下は、踵部の形状の違いを十分に意識して踵部のフィット性を向上することを目的として、踵部を非対称形に、具体的には、内側及び外側のゴアラインの分岐数又は分岐方向を異にするように、又はゴアラインの長さを異にするように、編成している。なお、特許文献２にも、内側のゴアラインと外側のゴアラインとを逆に設けてもよい旨の記載がある。すなわち、特許文献２にも、２つの発明の靴下が記載されており、何れか一方の靴下では着用者全てに対応できないものと推察される。
【０００５】
また、特許文献３に開示の靴下は、外側が内側に比して大きい踵の形状に合致した靴下、つまり踵によりよくフィットする靴下を提供することを目的として、減らし目及び増やし目工程を増やすことによって内側を外側に比して縮め、踵の外側方向にウェール数を多めに編成することによって外側を内側に比して大きめに編成している。
【先行技術文献】
【特許文献】
【０００６】
【特許文献１】特許第４１４７０１３号公報
【特許文献２】実用新案登録第３１２５４３０号公報
【特許文献３】特許第４５９０２４７号公報
【発明の概要】
【発明が解決しようとする課題】
【０００７】
ところで、靴下では、踵部形状のフィット性の他に、足首屈曲部甲側のたるみ（すなわち、しわ）を低減することが要望されている。この点に関し、足首屈曲部甲側のたるみを低減するために足首屈曲部甲側の締め付けを増加すると、足首屈曲部甲側に対して周方向（幅方向）の足裏側に位置する踵部の締め付けが過剰となり、着用感が損なわれてしまう。
【０００８】
そこで、本発明は、足首屈曲部甲側のたるみ（しわ）の低減と踵部の締め付けの低減とを両立することが可能なレッグウェアを提供することを目的とする。
【課題を解決するための手段】
【０００９】
本願発明者らは、甲裏平面形状に畳んだ状態での足裏側平面視において、踵部の外側ゴアラインの踵側端と内側ゴアラインの踵側端との間の中心に位置する踵部中心点から外側外形線への垂線の長さＡを踵部中心点から内側外形線への垂線の長さＢよりも長くすることにより、足首屈曲部甲側のたるみ（しわ）の低減と踵部の締め付けの低減（適度なフィット性の確保）とを両立することができることを見出した。
【００１０】
そこで、本発明のレッグウェアは、踵を覆う踵部を有するレッグウェアであって、甲裏平面形状に畳んだ状態での足裏側平面視において、踵部の外側ゴアラインの踵側端と踵部の内側ゴアラインの踵側端との間の中心に位置する踵部中心点から外側外形線への垂線の長さＡが、踵部中心点から内側外形線への垂線の長さＢよりも長い。
【００１１】
このレッグウェアによれば、甲裏平面形状に畳んだ状態での足裏側平面視において、踵部の外側ゴアラインの踵側端と内側ゴアラインの踵側端との間の中心に位置する踵部中心点から外側外形線への垂線の長さＡが、踵部中心点から内側外形線への垂線の長さＢよりも長いので、足首屈曲部甲側のたるみ（しわ）の低減と踵部の締め付けの低減（適度なフィット性の確保）とを両立することができ、着用感を高めることができる。
【００１２】
更に、本願発明者らは、甲裏平面形状に畳んだ状態での足裏側平面視において、踵部中心点から外側外形線への垂線の長さＡと踵部中心点から内側外形線への垂線の長さＢとの比率をＡ：Ｂ＝６：４近傍とすることにより、更なる足首屈曲部甲側のたるみ（しわ）の低減と更なる踵部の締め付けの低減（適度なフィット性の確保）とを両立することができることを見出した。
【００１３】
そこで、上記したレッグウェアでは、甲裏平面形状に畳んだ状態での足裏側平面視において、外側外形線から内側外形線までの幅Ｗを１００％としたときに、踵部中心点から外側外形線への垂線の長さＡが５５％〜６５％であり、踵部中心点から内側外形線への垂線の長さＢが４５％〜３５％であってもよい。
【００１４】
このレッグウェアによれば、甲裏平面形状に畳んだ状態での足裏側平面視において、外側外形線から内側外形線までの幅Ｗを１００％としたときに、踵部中心点から外側外形線への垂線の長さＡが５５％〜６５％であり、踵部中心点から内側外形線への垂線の長さＢが４５％〜３５％であるので、更なる足首屈曲部甲側のたるみ（しわ）の低減と更なる踵部の締め付けの低減（適度なフィット性の確保）とを両立することができ、着用感を更に高めることができる。
【００１５】
上記した踵部の外側ゴアラインの踵側端から外果側端までの長さは、踵部の内側ゴアラインの踵側端から内果側端までの長さに対して１．２１２倍〜１．３６８倍であってもよい。
【００１６】
また、上記した踵部の外側ゴアラインの外果側端と踵部の内側ゴアラインの内果側端との間の裏側生地幅Ｗ１及び甲側生地幅Ｗ２がそれぞれ１００％であってもよい。
【００１７】
これによれば、踵部の外側及び内側、並びに足首屈曲部甲側それぞれの長さの比率を適切にすることができ、更なる足首屈曲部甲側のたるみ（しわ）の低減と更なる踵部の締め付けの低減（適度なフィット性の確保）とを両立することができる。
【００１８】
また、上記したレッグウェアは、爪先を覆う爪先部を更に有し、甲裏平面形状に畳んだ状態での足裏側平面視において、爪先部の外側ゴアラインの爪先側端と爪先部の内側ゴアラインの爪先側端との間の中心に位置する爪先部中心点から外側外形線への垂線の長さＣが、爪先部中心点から内側外形線への垂線の長さＤよりも長くてもよい。
【００１９】
この構成によれば、爪先部の外側ゴアラインの爪先側端と内側ゴアラインの爪先側端との間の中心に位置する爪先部中心点から外側外形線への垂線の長さＣが、爪先部中心点から内側外形線への垂線の長さＤよりも長いので、爪先部形状のフィット性を高めることができる。
【００２０】
また、上記したレッグウェアでは、甲裏平面形状に畳んだ状態での足裏側平面視において、外側外形線から内側外形線までの幅Ｗを１００％としたときに、爪先部中心点から外側外形線への垂線の長さＣが５５％〜６５％であり、爪先部中心点から内側外形線への垂線の長さＤが４５％〜３５％であってもよい。
【００２１】
この構成によれば、爪先部中心点から外側外形線への垂線の長さＣと爪先部中心点から内側外形線への垂線の長さＤとの比率がＣ：Ｄ＝６：４近傍となるので、爪先部形状のフィット性を更に高めることができる。
【００２２】
また、上記した爪先部の外側ゴアラインの爪先側端から外側端までの長さは、爪先部の内側ゴアラインの爪先側端から内側端までの長さに対して１．２１２倍〜１．３６８倍であってもよい。
【００２３】
また、踵部中心点から外側外形線への垂線の長さＡと、踵部中心点から内側外形線への垂線の長さＢとの違い、及び、爪先部中心点から外側外形線への垂線の長さＣと、爪先部中心点から内側外形線への垂線の長さＤとの違いに応じて、踵部と爪先部との間の長さを長くしてもよい。
【００２４】
本願発明者らは、踵部中心点から外側外形線への垂線の長さＡと、踵部中心点から内側外形線への垂線の長さＢとを異ならせるか、又は、爪先部中心点から外側外形線への垂線の長さＣと、爪先部中心点から内側外形線への垂線の長さＤとを異ならせると、爪先から踵までの長さ方向に窮屈感を感じることを見出した。しかしながら、これによれば、踵部中心点から外側外形線への垂線の長さＡと、踵部中心点から内側外形線への垂線の長さＢとの違い、及び、爪先部中心点から外側外形線への垂線の長さＣと、爪先部中心点から内側外形線への垂線の長さＤとの違いに応じて、踵部と爪先部との間の長さを長くするので、爪先から踵までの長さ方向の窮屈感を低減することができ、着用感を高めることができる。
【発明の効果】
【００２５】
本発明によれば、足首屈曲部甲側のたるみ（しわ）の低減と踵部の締め付けの低減（適度なフィット性の確保）とを両立することができ、着用感を高めることができる。
【図面の簡単な説明】
【００２６】
【図１】本発明の実施形態に係る靴下（左足用）を横平面形状に畳んだ状態での外側平面視の図である。
【図２】本発明の実施形態に係る靴下（左足用）を横平面形状に畳んだ状態での内側平面視の図である。
【図３】本発明の実施形態に係る靴下（左足用）を甲裏平面形状に畳んだ状態での足裏側平面視の図である。
【図４】図１〜３に示す靴下の展開図である。
【図５】図１〜３に示す靴下の踵部の編成方法を示す図である。
【図６】本発明の変形例に係る靴下（左足用）を横平面形状に畳んだ状態での（ａ）外側平面視及び（ｂ）内側平面視の図である。
【図７】本発明の別の変形例に係る靴下（左足用）を横平面形状に畳んだ状態での（ａ）外側平面視及び（ｂ）内側平面視の図である。
【図８】評価１の測定部位を示す図である。
【図９】評価２の測定部位を示す図である。
【図１０】評価３の評価結果を示す図である。
【図１１】足型に装着したときの実施例１を外側（ａ）及び内側（ｂ）から撮影した結果、及び、足型に装着したときの従来品を外側（ｃ）及び内側（ｄ）から撮影した結果である。
【発明を実施するための形態】
【００２７】
以下、図面を参照して本発明の好適な実施形態について詳細に説明する。なお、各図面において同一又は相当の部分に対しては同一の符号を附すこととする。
【００２８】
図１は、本発明の実施形態に係る靴下（左足用）を横平面形状に畳んだ状態での外側平面視の図であり、図２は、本発明の実施形態に係る靴下（左足用）を横平面形状に畳んだ状態での内側平面視の図であり、図３は、本発明の実施形態に係る靴下（左足用）を甲裏平面形状に畳んだ状態での足裏側平面視の図である。また、図４は、図１〜３に示す靴下の展開図であり、図５は、図１〜３に示す靴下の踵部の編成方法を示す図である。
【００２９】
図１〜３に示す靴下１は、足首よりも上方を覆う筒状部１０、踵を覆う踵部２０、足裏及び甲を覆う筒状部３０、爪先を覆う爪先部４０を順に編成してなる。例えば、この種の靴下は、丸編機を用いて編成される。
【００３０】
丸編機は、円筒状のシリンダを備えたフルコンピュータ式の編立機械を使用する。フルコンピュータ式とは、コンピュータ上で作成した製品全体の編目設計データを電磁的記録媒体により編立機械に移行し、当該編目設計データに基づいて電気的に自動編立を行うことができる、設計・編立の一連の作業をコンピュータ式に処理する編立方式を示す。
【００３１】
この種の丸編機では、円筒状のシリンダが自転すると共に、周上に配置された編針が上下運動を繰り返し、編糸をループ状に編成する（例えば、平編み）。そして、３６０度の回転（１回転）で１コースの編立が行われ、同方向に回転編立が繰り返されることによって、筒状部１０，３０が編成される。このシリンダの反時計回りの回転を一般的に正回転と称し、時計回りの回転を一般的に逆回転と称する。
【００３２】
一方、踵部２０及び爪先部４０を編成する際には、シリンダを１コース単位で正回転・逆回転を繰り返し、任意の針で編成するが、このシリンダの運動を一般的に往復回転と称する。踵部２０の半分を編成する際には針上げ（以下、「目減らし」という。）を行い、踵部２０の残り半分を編成する際には針下げ（以下、「目増やし」という。）を行う。踵部２０の目減らし編成部分と目増やし編成部分との接ぎ線がゴアライン２１，２２である。同様に、爪先部４０の半分を編成する際には針上げ（以下、「目減らし」という。）を行い、爪先部４０の残り半分を編成する際には針下げ（以下、「目増やし」という。）を行う。爪先部４０の目減らし編成部分と目増やし編成部分との接ぎ線がゴアライン４１，４２である（例えば、図４及び図５参照）。
【００３３】
本実施形態では、踵部２０の外果側の目減らし数及び目増やし数を、内果側の目減らし数及び目増やし数よりも多くすることによって、踵部２０の外側ゴアライン２１の踵側端２１１と内側ゴアライン２２の踵側端２２１との間の中心に位置する踵部中心点ＰＨから外側外形線Ｘ１への垂線の長さＡを、踵部中心点ＰＨから内側外形線Ｘ２への垂線の長さＢよりも長くすることができる。
【００３４】
具体的には、図３〜図５を参照し、甲裏平面形状に畳んだ状態での足裏側平面視において、外側外形線Ｘ１から内側外形線Ｘ２までの幅Ｗを１００％としたときに、踵部２０の外側ゴアライン２１の踵側端２１１と内側ゴアライン２２の踵側端２２１との間の中心に位置する踵部中心点ＰＨから外側外形線Ｘ１への垂線の長さＡが５５％〜６５％であり、踵部中心点ＰＨから内側外形線Ｘ２への垂線の長さＢが４５％〜３５％である。好ましくは、Ａ：Ｂ＝６：４である。
【００３５】
また、踵部２０の外側ゴアライン２１の踵側端２１１から外果側端２１２までの長さＬ２１は、内側ゴアライン２２の踵側端２２１から内果側端２２２までの長さＬ２２に対して１．２１２倍〜１．３６８倍である。好ましくは、Ｌ２１はＬ２２の１．２２２倍である。例えば、成人男性用では、Ｌ２１＝約５．５ｃｍ、Ｌ２２＝約４．５ｃｍが好ましい。そして、踵部のコース数を増やすことにより、Ｌ２１＝約５．７ｃｍ、Ｌ２２＝約４．７ｃｍにしてもよいし、踵部のコース数を減らすことにより、Ｌ２１＝約５．２ｃｍ、Ｌ２２＝約３．８ｃｍにしてもよい。これにより、過剰な締め付けが生じやすい踵部外側にゆとりをもたせることができ、結果、踵部全体の締め付け感を低減することができる。
【００３６】
また、外側外形線Ｘ１から内側外形線Ｘ２までの幅Ｗを１００％としたときに、踵部２０の外側ゴアライン２１の外果側端２１２と内側ゴアライン２２の内果側端２２２との間の足裏側生地幅Ｗ１及び甲側生地幅Ｗ２は、それぞれ１００％である。
【００３７】
同様に、本実施形態では、爪先部４０の外側の目減らし数及び目増やし数を、内側の目減らし数及び目増やし数よりも多くすることによって、爪先部４０の外側ゴアライン４１の爪先側端４１１と内側ゴアライン４２の爪先側端４２１との間の中心に位置する爪先部中心点ＰＴから外側外形線Ｘ１への垂線の長さＣを、爪先部中心点ＰＴから内側外形線Ｘ２への垂線の長さＤよりも長くすることができる。
【００３８】
具体的には、甲裏平面形状に畳んだ状態での足裏側平面視において、外側外形線Ｘ１から内側外形線Ｘ２までの幅Ｗを１００％としたときに、爪先部４０の外側ゴアライン４１の爪先側端４１１と内側ゴアライン４２の爪先側端４２１との間の中心に位置する爪先部中心点ＰＴから外側外形線Ｘ１への垂線の長さＣが５５％〜６５％であり、爪先部中心点ＰＴから内側外形線Ｘ２への垂線の長さＤが４５％〜３５％である。好ましくは、Ｃ：Ｄ＝６：４である。これにより、踵部とのバランスを取ることができ、靴下のずれを低減することができる。
【００３９】
また、爪先部４０の外側ゴアライン４１の爪先側端４１１から外側端４１２までの長さＬ４１は、内側ゴアライン４２の爪先側端４２１から内側端４２２までの長さＬ２２に対して１．２１２倍〜１．３６８倍である。好ましくは、Ｌ２１はＬ２２の１．２２２倍である。これにより、爪先部のたるみによる足屈曲部甲側のたるみや踵部のずれを低減することができる。
【００４０】
また、本実施形態では、踵部中心点ＰＨから外側外形線Ｘ１への垂線の長さＡと、踵部中心点ＰＨから内側外形線Ｘ２への垂線の長さＢとの違い、及び、爪先部中心点ＰＴから外側外形線Ｘ１への垂線の長さＣと、爪先部中心点ＰＴから内側外形線Ｘ２への垂線の長さＤとの違いに応じて、踵部２０と爪先部４０との間の筒状部３０の長さを長くしている。例えば、成人男性用では、約２０コース増やすことによって、設計サイズよりも１サイズ大きいサイズの筒状部の長さにする。
【００４１】
なお、本実施形態の靴下１の着用時、踵部の外側ゴアラインの外果側端が、踵部の内側ゴアラインの内果側端よりも高い位置に位置することとなる。
【００４２】
ここで、本願発明者らは、甲裏平面形状に畳んだ状態での足裏側平面視において、踵部２０の外側ゴアライン２１の踵側端２１１と内側ゴアライン２２の踵側端２２１との間の中心に位置する踵部中心点ＰＨから外側外形線Ｘ１への垂線の長さＡと踵部中心点ＰＨから内側外形線Ｘ２への垂線の長さＢとの比率をＡ：Ｂ＝６：４近傍とすることにより、踵部形状のフィット性を高めると共に、足首屈曲部甲側のたるみ（しわ）の低減と踵部の締め付けの低減（適度なフィット性の確保）とを両立することができることを見出した。
【００４３】
本実施形態の靴下１によれば、甲裏平面形状に畳んだ状態での足裏側平面視において、外側外形線Ｘ１から内側外形線Ｘ２までの幅Ｗを１００％としたときに、踵部２０の外側ゴアライン２１の踵側端２１１と内側ゴアライン２２の踵側端２２１との間の中心に位置する踵部中心点ＰＨから外側外形線Ｘ１への垂線の長さＡが５５％〜６５％であり、踵部中心点ＰＨから内側外形線Ｘ２への垂線の長さＢが４５％〜３５％であるので、踵部形状のフィット性を高めると共に、足首屈曲部甲側のたるみ（しわ）の低減と踵部の締め付けの低減（適度なフィット性の確保）とを両立することができ、着用感を高めることができる。
【００４４】
また、本実施形態の靴下１によれば、外側外形線Ｘ１から内側外形線Ｘ２までの幅Ｗを１００％としたときに、踵部２０の外側ゴアライン２１の外果側端２１２と内側ゴアライン２２の内果側端２２２との間の裏側生地幅Ｗ１及び甲側生地幅Ｗ２がそれぞれ１００％であるので、踵部２０の外側及び内側、並びに足首屈曲部甲側それぞれの長さの比率を適切にすることができ、踵部形状のフィット性を更に高めると共に、足首屈曲部甲側のたるみ（しわ）の低減と踵部の締め付けの低減とを更に両立することができる。
【００４５】
また、本実施形態の靴下１によれば、爪先部４０の外側ゴアライン４１の爪先側端４１１と内側ゴアライン４２の爪先側端４２１との間の中心に位置する爪先部中心点ＰＴから外側外形線Ｘ１への垂線の長さＣと爪先部中心点ＰＴから内側外形線Ｘ２への垂線の長さＤとの比率をＣ：Ｄ＝６：４近傍とするので、爪先部形状のフィット性を高めることができる。
【００４６】
ところで、本願発明者らは、踵部中心点ＰＨから外側外形線Ｘ１への垂線の長さＡと、踵部中心点ＰＨから内側外形線Ｘ２への垂線の長さＢとを異ならせるか、又は、爪先部中心点ＰＴから外側外形線Ｘ１への垂線の長さＣと、爪先部中心点ＰＴから内側外形線Ｘ２への垂線の長さＤとを異ならせると、爪先から踵までの長さ方向に窮屈感を感じることを見出した。
【００４７】
この点に関し、本実施形態の靴下１によれば、踵部２０の外側ゴアライン２１と踵部２０の内側ゴアライン２２との長さの違い、及び、爪先部４０の外側ゴアライン４１と爪先部４０の内側ゴアライン４２との長さの違いに応じて、踵部２０と爪先部４０との間の筒状部３０の長さを長くするので、爪先から踵までの長さ方向の窮屈感を低減することができ、着用感を高めることができる。
【００４８】
なお、本発明は上記した本実施形態に限定されることなく種々の変形が可能である。例えば、本実施形態では、踵部２０の踵部中心点ＰＨから外側外形線Ｘ１への垂線の長さＡと踵部中心点ＰＨから内側外形線Ｘ２への垂線の長さＢとの比率をＡ：Ｂ＝６：４近傍としたが、ＡとＢとの比率はこれに限定されることなく、ＡとＢとが異なっていればよい。
【００４９】
同様に、本実施形態では、爪先部４０の爪先部中心点ＰＴから外側外形線Ｘ１への垂線の長さＣと爪先部中心点ＰＴから内側外形線Ｘ２への垂線の長さＤとの比率をＣ：Ｄ＝６：４近傍としたが、ＣとＤとの比率はこれに限定されることなく、ＣとＤとが異なっていればよい。
【００５０】
また、本発明の特徴は、踵部２０の踵部中心点ＰＨから外側外形線Ｘ１への垂線の長さＡを踵部中心点ＰＨから内側外形線Ｘ２への垂線の長さＢよりも長くすることであり、図６に示すように、爪先部４０の爪先部中心点ＰＴから外側外形線Ｘ１への垂線の長さＣと爪先部中心点ＰＴから内側外形線Ｘ２への垂線の長さＤとの比率は、従来品と同様に、Ｃ：Ｄ＝１：１であってもよい。
【００５１】
また、本実施形態では、靴下を例示したが、本発明の特徴は、図７に示すように、爪先部を有さない筒状のレッグウェア（例えば、治療やスポーツのためのサポータ等）の踵部に適用してもよい。
【００５２】
また、本実施形態では、丸編機を用いた編成方法で形成したレッグウェアを例示したが、本発明の特徴は、他の編成方法で形成するレッグウェアにも適用可能である。また、本発明の特徴は、複数の所定形状の生地を裁断し、これらの生地を縫着して形成するレッグウェアにも適用可能である。この種のレッグウェアでは、本実施形態の靴下のゴアラインの位置に位置する接ぎ線を、本発明のゴアラインと称することとする。
【実施例１】
【００５３】
図１〜３に示す本実施形態の靴下１を実施例１〜３として作製し、以下の評価１〜３を行った。これらの評価では、本実施例１〜３及び従来品の対比評価を行った。
【００５４】
実施例１〜３は、表糸に３２デニールの単糸を用い、裏糸に３０デニールのポリウレタンに７５デニールのポリウレタンを巻き付けた伸縮性を有する糸（ＦＴＹ３０/７５）を用いて編成した。実施例１〜３は、踵部２０の踵部中心点ＰＨから外側外形線Ｘ１までの長さＡ、及び、爪先部中心点ＰＴから外側外形線Ｘ１までの長さＣが５５％〜６５％の範囲内であり、踵部中心点ＰＨから内側外形線Ｘ２までの長さＢ、及び、爪先部中心点ＰＴから内側外形線Ｘ２までの長さＤが４５％〜３５％の範囲内である点で共通するが、以下の点で相違する。
実施例１では、踵部２０の外側ゴアライン２１の長さＬ２１を５．５ｃｍとし、内側ゴアライン２２の長さＬ２２を４．５ｃｍとした。すなわち、外側ゴアライン２１の長さＬ２１は、内側ゴアライン２２の長さＬ２２の約１．２２２倍である。
実施例２では、踵部２０のコース数を実施例１よりも２目増やすことによって、外側ゴアライン２１の長さＬ２１を５．７ｃｍとし、内側ゴアライン２２の長さＬ２２を４．７ｃｍとした。すなわち、外側ゴアライン２１の長さＬ２１は、内側ゴアライン２２の長さＬ２２の約１．２１２倍である。
実施例３では、踵部２０のコース数を実施例１よりも２目減らすことによって、外側ゴアライン２１の長さＬ２１を５．２ｃｍとし、内側ゴアライン２２の長さＬ２２を３．８ｃｍとした。すなわち、外側ゴアライン２１の長さＬ２１は、内側ゴアライン２２の長さＬ２２の約１．３６８倍である。
【００５５】
一方、従来品は、主に、踵部の踵部中心点から外側外形線までの長さＡと踵部中心点から内側外形線までの長さＢとの比率がＡ：Ｂ＝１：１であり、爪先部の爪先部中心点から外側外形線までの長さＣと爪先部中心点から内側外形線までの長さＤとの比率がＣ：Ｄ＝１：１である点で、本実施例と異なっている。
［評価１］
【００５６】
評価１では、実施例１と従来品とを足型に装着し、各部の周方向（幅方向）の伸び率を測定した。測定環境は、恒温恒湿室にて２０℃、６５％ＲＨに設定した。測定部位は、図８に示ように踵部２０から爪先部４０の間の筒状部３０を長さ方向に約７等分した７つの周であって、各周を外側外形線Ｘ１及び内側外形線Ｘ２で甲側部分と足裏側部分とに２分割し、更に、甲側部分及び足裏側部分それぞれを２等分した甲側外側部分、甲側内側部分、足裏側外側部分、足裏側内側部分の７周×４か所である。測定は、７つの各周上に油性マーカでラインを描き、足型装着前と後とでラインの長さをメジャーにて測定し、足型装着前に対する足型装着後の伸び率を算出した。これらの測定及び算出結果を表１に示す。
【表１】
2015010298.tif 000003
【００５７】
表１によれば、甲側外側の周（１）〜周（３）及び甲側内側の周（１）〜周（４）（足首屈曲部甲側近傍）において、実施例１の伸び率が従来品よりも高くなった。これより、幅方向の張力が働き、足首屈曲部甲側のたるみ（すなわち、しわ）の低減効果があることが分かる。一方、足裏側外側の周（１）〜周（２）及び足裏側内側の周（１）〜周（２）（踵部近傍）を参照すると、実施例１の伸び率が従来品よりも低くなった。これより、踵部の締め付けの低減効果があることがわかる。
［評価２］
【００５８】
評価２では、実施例１と従来品とを足型に装着し、各部の着圧を測定した。測定環境は、恒温恒湿室にて２０℃、６５％ＲＨに設定した。測定部位は、図９に示す７か所、すなわち、（１）足首屈曲部甲側上方内側、（２）足首屈曲部甲側 上方中央、（３）足首屈曲部甲側 上方外側、（４）足首屈曲部甲側 下方内側、（５）足首屈曲部甲側 下方中央、（６）足首屈曲部甲側下方外側、（７）踵部である。測定には、エアパック式接触圧測定器Ａ０１０１−Ｇ（株式会社エイエムアイ・テクノ社製）を用い、足型には、日本人２０代男性平均足型ＭＳＸ−２０Ｍ（株式会社七彩社製）を用いた。具体的には、エアパックを足型の各測定部位に貼付し、実施例１又は従来品を装着し、１分後に計測値を記録した。これらの計測を３回行い、これらの平均値を表２に示す。
【表２】
2015010298.tif 000004
【００５９】
表２によれば、（５）足首屈曲部甲側 下方中央、（６）足首屈曲部甲側 下方外側、（７）踵部において、実施例１の着圧が従来品よりも低くなった。これより、上記したように足首屈曲部甲側のたるみ（しわ）の低減効果があるにも関わらず、足首屈曲部甲側及び踵部の締め付けの低減効果があることがわかる。
［評価３］
【００６０】
評価３では、実施例１〜３及び従来品を試着し、成人男性モニタ１０名に装着感を問うた。評価環境は、恒温恒湿室にて２０℃、６５％ＲＨに設定した。評価結果を図１０に示す。図１０では、従来品の着用感を３．０とし、実施例１の着用感を曲線Ｓ１に、実施例２の着用感を曲線Ｓ２に、実施例３の着用感を曲線Ｓ３に示す。
【００６１】
図１０によれば、実施例１〜３は、従来品と比較し、全ての項目においてよい着用感が得られた。また、実施例１〜３の中では、実施例１が総合的によい着用感が得られ、特に甲部及び踵部のフィット感がよいことがわかる。
【００６２】
また、図１１（ａ）に、上記足型に装着したときの実施例１を外側から撮影した結果を示し、図１１（ｂ）に、上記足型に装着したときの実施例１を内側から撮影した結果を示し、図１１（ｃ）に、上記足型に装着したときの従来品を外側から撮影した結果を示し、図１１（ｄ）に、上記足型に装着したときの従来品を内側から撮影した結果を示す。図１１によれば、実施例１は、従来品と比較して、足首屈曲部甲側のたるみ（すなわち、しわ）を低減できることがわかる。
【００６３】
以上の評価結果より、本願発明者らは以下のように考察する。足の外側は、内側に比べ、土踏まずのような凹みがない分、容積が高く、適切なフィット感を得るためには多くの空間を作る生地面積が必要である。しかしながら、生地面積が過剰になるとたるみやしわが生じ、極端に着用感を悪化させる。
【００６４】
また、足の外側の接地部分近傍は、広角（直接に近く角度が広い）であり、歩行・運動により皮膚や肉を変形しながら地面を掴み、爪先の蹴り出しへと重心を移動させる。この際、しわを軽減させ最適な着用感を維持するためには、足の容積と変形量、動きを繊細に考慮しなければならない。
【００６５】
実施例１は、従来品よりも、外側外形線から内側外形線までの幅Ｗ１００％に対して踵部の中央が１０％（長さにして約１ｃｍ）内側にずれていることによって、従来品より、足の外側の生地にゆとりが生じているものと考察する。また、内側は従来品と同様のため、従来品と同様のゆとりである。足の外側は、容積が大きく、また、曲率も大きいため、外側の生地の伸び率の変化が着用感、着圧感に影響を及ぼしているものと考察する。
【００６６】
したがって、実施例１によれば、歩行・運動時において、屈曲によりたるみ（すなわち、しわ）が生じやすい足首屈曲部甲側は適度にフィット性を高めてたるみの発生を低減するとともに、接地により加重がかかり変形を強いられる踵部は適度にゆったりと踵を覆うことができるものと考察する。
【符号の説明】
【００６７】
１…靴下（レッグウェア）、１０…筒状部、２０…踵部、２１…踵部の外側ゴアライン、２１１…踵部の外側ゴアラインの踵側端、２１２…踵部の外側ゴアラインの外果側端、２２…踵部の内側ゴアライン、２２１…踵部の内側ゴアラインの踵側端、２２２…踵部の内側ゴアラインの内果側端、３０…筒状部、４０…爪先部、４１…爪先部の外側ゴアライン、４１１…爪先部の外側ゴアラインの爪先側端、４１２…爪先部の外側ゴアラインの外側端、４２…爪先部の内側ゴアライン、４２１…爪先部の内側ゴアラインの爪先側端、４２２…爪先部の内側ゴアラインの内側端、ＰＨ…踵部中心点、ＰＴ…爪先部中心点、Ｘ１…外側外形線、Ｘ２…内側外形線。
【図１】
2015010298.tif 000005
【図２】
2015010298.tif 000006
【図３】
2015010298.tif 000007
【図４】
2015010298.tif 000008
【図５】
2015010298.tif 000009
【図６】
2015010298.tif 000010
【図７】
2015010298.tif 000011
【図１０】
2015010298.tif 000012
【図８】
2015010298.tif 000013
【図９】
2015010298.tif 000014
【図１１】
2015010298.tif 000015
【手続補正書】
【提出日】平成25年10月4日(2013.10.4)
【手続補正１】
【補正対象書類名】明細書
【補正対象項目名】００３９
【補正方法】変更
【補正の内容】
【００３９】
また、爪先部４０の外側ゴアライン４１の爪先側端４１１から外側端４１２までの長さＬ４１は、内側ゴアライン４２の爪先側端４２１から内側端４２２までの長さＬ４２に対して１．２１２倍〜１．３６８倍である。好ましくは、Ｌ４１はＬ４２の１．２２２倍である。これにより、爪先部のたるみによる足屈曲部甲側のたるみや踵部のずれを低減することができる。
【手続補正２】
【補正対象書類名】明細書
【補正対象項目名】００５４
【補正方法】変更
【補正の内容】
【００５４】
実施例１〜３は、表糸に３２デニールの単糸を用い、裏糸に３０デニールのポリウレタンに７５デニールのポリエステルを巻き付けた伸縮性を有する糸（ＦＴＹ３０/７５）を用いて編成した。実施例１〜３は、踵部２０の踵部中心点ＰＨから外側外形線Ｘ１までの長さＡ、及び、爪先部中心点ＰＴから外側外形線Ｘ１までの長さＣが５５％〜６５％の範囲内であり、踵部中心点ＰＨから内側外形線Ｘ２までの長さＢ、及び、爪先部中心点ＰＴから内側外形線Ｘ２までの長さＤが４５％〜３５％の範囲内である点で共通するが、以下の点で相違する。
実施例１では、踵部２０の外側ゴアライン２１の長さＬ２１を５．５ｃｍとし、内側ゴアライン２２の長さＬ２２を４．５ｃｍとした。すなわち、外側ゴアライン２１の長さＬ２１は、内側ゴアライン２２の長さＬ２２の約１．２２２倍である。
実施例２では、踵部２０のコース数を実施例１よりも２目増やすことによって、外側ゴアライン２１の長さＬ２１を５．７ｃｍとし、内側ゴアライン２２の長さＬ２２を４．７ｃｍとした。すなわち、外側ゴアライン２１の長さＬ２１は、内側ゴアライン２２の長さＬ２２の約１．２１２倍である。
実施例３では、踵部２０のコース数を実施例１よりも２目減らすことによって、外側ゴアライン２１の長さＬ２１を５．２ｃｍとし、内側ゴアライン２２の長さＬ２２を３．８ｃｍとした。すなわち、外側ゴアライン２１の長さＬ２１は、内側ゴアライン２２の長さＬ２２の約１．３６８倍である。